(57)【要約】【課題】払拭性を向上させて常に良好な視界が得られ、またガラス面にキズが付く虞れのない構造にする。【解決手段】ステーにより支持されている板状頂部２４の下側に揺動可能なネック部２５を介してリップ部２６を設けているラバーリボン２２を備え、リップ部２６をウインドウガラス１５に当接させ、かつ、ウインドウガラス１５上でラバーリボン２２を摺動させて、該ウインドウガラス１５上の砂、土、埃等をリップ部２６で払拭する車両用ワイパーブレードにおいて、払拭時にウインドウガラス１５と対向するリップ部２６の側面２６ａに、ウインドウガラス１５上の砂、土、埃等１６を掻き上げるエッジ２６ｃ及びこの掻き上げられた砂、土、埃等１６を払拭方向前方に向かって吐き出す吐き出し部２７を設けたとして構成した。  【選択図】  図３
2006151164.tif 000002
【特許請求の範囲】
【請求項１】
ステーで支持されている板状頂部の下側に揺動可能なネック部を介してリップ部を設けているラバーリボンを備え、前記リップ部をウインドウガラスに当接させ、かつ、該ウインドウガラス上で前記ラバーリボンを摺動させて該ウインドウガラス上の砂、土、埃等を前記リップ部で払拭する車両用ワイパーブレードにおいて、
払拭時に前記ウインドウガラスと対向する前記リップ部の側面に、前記ウインドウガラス上の前記砂、土、埃等を掻き上げるエッジ及び該掻き上げられた前記砂、土、埃等を払拭方向前方に向かって吐き出す吐き出し部を設けたことを特徴とする車両用ワイパーブレード。
【請求項２】
リップ部のエッジの角度を、払拭時にウインドウガラスに対して直角以上となるように設定した請求項１記載の車両用ワイパーブレード。
【請求項３】
リップ部の下面を、前記リップ部の傾動方向に倣うようにして、前記リップ部の下側に向かって緩やかに膨出している曲面で形成した請求項１または２記載の車両用ワイパーブレード。
【請求項４】
ワイパーの動きが反転するとき、リップ部が吐き出し部に溜まっている砂、土、埃等を反転前の摺動方向前方に向かって弾き飛ばすように構成した請求項１，２または３記載の車両用ワイパーブレード。
【発明の詳細な説明】
【技術分野】
【０００１】
本発明は、車両のウインドガラスを払拭する車両用ワイパーブレードに関する。
【背景技術】
【０００２】
一般に、車両のワイパーは、ウインドウガラスの雨水を除去し、それによってガラス面を清潔にし、視界を確保するという使命を有しており、そのワイパーについては数多く知られている（例えば、特許文献１，特許文献２参照）。
【０００３】
従来のワイパーで使用されているワイパーブレードの一例を図５に示す。図５において、ワイパーブレード１は、ホルダー２を設けた主ステー３を有する。主ステー３の両端には、それぞれ副ステー４，４が枢着され、さらに副ステー４，４のそれぞれ内側に位置している一端側には別の副ステー５，５が枢着されている。そして、これら副ステー４，４，及び５，５の６点支持により、ラバーリボン６がリボンホルダー７を介してワイパーブレード１に取り付けられている。
【０００４】
図６は、従来のラバーリボン６を示す外観斜視図である。図６において、ラバーリボン６は長物で、また柔軟であり、湾曲したウインドウガラスに密着し、雨水を払拭するのには適した、例えば天然ゴム、合成ゴム等の材質で作られている。そのラバーリボン６は、図５に示しているように、リボンホルダー７と長手方向において嵌合する溝８を有した板状頂部９と、この板状頂部９の下面より垂下され、かつ、左右の厚みが小さく、また払拭方向に可撓性が持たされている幅狭状のネック部１０と、このネック部１０の下側に設けられているリップ部１１とを一体に有して、図７に示すような断面形状が形成されている。
【０００５】
そのリップ部１１の形状は、その高さ方向において、上側からほぼ中間の位置までは、下側に向かうに従って左右方向の厚み幅が徐々に狭くなる楔状部１２が作られ、その下側に平行部１３が作られている。また、平行部１３の下面１４は平面になっている。
【０００６】
このように構成されているワイパーブレード１は、ホルダー２の部分に、図示しないモータを駆動源として揺動往復運動をするアームの先端が取り付けられる。そして、ワイパーブレード１は、ウインドウガラスにリップ部１１を当接させた状態で、該アームの動作で該ウインドウガラスに沿って移動され、その移動時に、リップ部１１がウインドウガラス上の雨水、雪、泥等を払拭する。
【０００７】
図８の(ａ)〜(ｇ)は、そのラバーリボン６の払拭動作を示す図である。図８中、符号１５はウインドウガラス、１６はウインドウガラス１５上に付着された砂、土、埃等１６である。また、矢印はワイパーブレード１が動く方向を示している。なお、ここでの砂、土、埃等１６は、雨水、雪等の中に混入しているのが一般的であるが、ここでの説明では簡略化し、砂、土、埃等１６だけを示している。
【０００８】
次に、図８を用いてラバーリボン６の払拭動作を説明する。ラバーリボン６がワイパーブレード１によって図８中の左方向に動かされると、ネック部１０の撓み変形を伴って、リップ部１１が左方向(払拭方向)に傾倒する。そのリップ部１１は、傾倒状態のまま、ウインドウガラス１５上をその曲面に沿って摺動し、該ウインドウガラス１５上の砂、土、埃等１６を払拭する［(ａ)〜(ｄ)参照］。この払拭では、リップ部１１がウインドウガラス１５上の砂、土、埃等１６をかき集めながら摺動し、終端(ｅ)に到達して一旦停止すると、ネック部１０の弾性復帰力でリップ部１１が真っ直ぐ中立位置に立ち上がる。続いて、ワイパーブレード１が図中の右方向に動くと、ネック部１０の弾性撓みによる反転変形を伴ってリップ部１１が右方向に傾倒切り換えされる。そのリップ部１１は、その傾倒状態のまま［(ｆ)，(ｇ)参照］、前と同じウインドウガラス１５上を払拭しながら終端まで移動し、終端に到達したら再び(ａ)から同じ動作が繰り返される。
【０００９】
この払拭動作では、ウインドウガラス１５とリップ部１１の間にかき集められた砂、土、埃等１６の量が少ないときには、リップ部１１のエッジ１１ａが砂、土、埃等１６を乗り越えることはないが、かき集められた砂、土、埃等１６の量が多くなると、(ｃ)，(ｄ)，(ｆ)，(ｇ)に示しているように、リップ部１１のエッジ１１ａが砂、土、埃等１６を乗り越えて拭き残しを起こす。
【特許文献１】実開平６−５５９００号公報
【特許文献２】特開平７−２４２１６０号公報
【発明の開示】
【発明が解決しようとする課題】
【００１０】
上述したように、従来のワイパーブレードでは、ウインドウガラスとリップ部の間にかき集められた砂、土、埃等の量が多くなると、リップ部のエッジが、、土、埃等を乗り越えて拭き残しを作って、払拭状態を悪くし、視界が確保できなくなる問題があった。また、リップ部とウインドウガラスとの間に硬い砂等を挟み込むと、ガラス面にキズが付く問題があった。
【００１１】
本発明は、上述のような従来の問題を解決するためになされたものであって、払拭性を向上させて常に良好な視界が得られ、またガラス面にキズが付く虞れのない構造にした車両用ワイパーブレードを提供することにある。
【課題を解決するための手段】
【００１２】
本発明によると、上記問題は、次のようにして解決される。
（１）ステーで支持されている板状頂部の下側に揺動可能なネック部を介してリップ部を設けているラバーリボンを備え、前記リップ部をウインドウガラスに当接させ、かつ、該ウインドウガラス上で前記ラバーリボンを摺動させて該ウインドウガラス上の砂、土、埃等を前記リップ部で払拭する車両用ワイパーブレードにおいて、払拭時に前記ウインドウガラスと対向する前記リップ部の側面に、前記ウインドウガラス上の前記砂、土、埃等を掻き上げるエッジ及び該掻き上げられた前記砂、土、埃等を払拭方向前方に向かって吐き出す吐き出し部を設ける。
【００１３】
（２）上記（１）項において、リップ部のエッジの角度を、払拭時にウインドウガラスに対して直角以上となるようにして設ける。
【００１４】
（３）上記（１）または（２）項において、リップ部の下面を、前記リップ部の傾動方向に倣うようにして、前記リップ部の下側に向かって緩やかに膨出している曲面で形成する。
【００１５】
（４）上記（１）〜（３）項のいずれかにおいて、ワイパーの動きが反転するとき、リップ部が吐き出し部に溜まっている砂、土、埃等を反転前の摺動方向前方に向かって弾き飛ばすように構成する。
【発明の効果】
【００１６】
本発明によると、次のような効果を奏することができる。
（ａ）請求項１記載の発明によれば、ラバーリボンがガラス面上を摺動すると、ガラス面上の砂、土、埃等がリップ部で掻き上げられ、これが払拭方向先端側に順次吐き出される。したがって、ガラス面とリップ部との間に砂、土、埃等が溜まったままになり、この砂、土、埃等の一部をリップ部のエッジが乗り越えて拭き残しを作り、払拭が悪くなるという状態を防止することができる。これにより、払拭性が向上し、良好な視界が得られる。また、リップ部とガラス面との間に砂、土、埃等を挟み込むこともなくなるから、ガラス面にキズが付くのを防止することができる。
【００１７】
（ｂ）請求項２記載の発明によれば、リップ部のエッジの角度を、払拭時にウインドウガラスに対して直角以上となるようにして設けているので、払拭された砂、土、埃等は、そのエッジが作る角度により、自然と、吐き出し部が設けられている上側に掻き上げガイドされることになる。これにより、払拭性がさらに向上する。
【００１８】
（ｃ）請求項３記載の発明によれば、リップ部の下面を、リップ部の傾動方向に倣うようにして下側に向かって緩やかに膨出している曲面として形成しているので、リップ部の傾倒方向が切り換わるとき、リップ部はその曲面に倣って回転しながら向きを反対方向へスムーズに変えることができる。これにより、払拭時における異音の発生等を防ぎ、品質の向上に寄与する。
【００１９】
（ｄ）請求項４記載の発明によれば、ワイパーの動きが反転するとき、リップ部が吐き出し部に溜まっている砂、土、埃等を反転前の摺動方向前方に向かって弾き飛ばすので、ワイパーの払拭端に砂、土、埃等が溜まる量を少なくすることができ、さらに良好な視界が得られる。
【発明を実施するための最良の形態】
【００２０】
以下、本発明の実施形態を、図面に基づいて説明する。図１は、本発明を適用したワイパーブレードを示す外観斜視図である。図１において、図５乃至図８と同じ部材には同じ符号を付して説明と、ワイパーブレード２１は、ホルダー２を設けた主ステー３を有する。この主ステー３の両端には、それぞれ副ステー４，４が枢着され、さらに副ステー４，４のそれぞれ内側に位置している一端側には別の副ステー５，５が枢着されていてる。そして、これら副ステー４，４，及び５，５による６点支持により、ラバーリボン２２がリボンホルダー７を介してワイパーブレード２１に取り付けられている。
【００２１】
図２はラバーリボン２２を示す外観斜視図である。図２において、ラバーリボン２２は長物で、また柔軟であり、湾曲したウインドウガラスに密着し、雨水、雪、泥等を払拭するのに適した、例えば天然ゴム、合成ゴム等の材質で作られている。そのラバーリボン２２は、図１に示すように、リボンホルダー７と長手方向において嵌合する溝２３を有した板状頂部２４と、この板状頂部２４の下面より垂下され、かつ、左右の厚みが小さく、払拭方向に可撓性が持たされている幅狭状のネック部２５と、このネック部２５の下側に設けられているリップ部２６とを一体に有して、図３に示すような断面形状が形成されている。
【００２２】
そのリップ部２６の形状は、その高さ方向において、左右方向の厚みである幅が上側から下側までほぼ同じ幅となるように形成されている。そのリップ部２６の左右の両側面２６ａ，２６ａには、高さ方向のほぼ中間部分に、吐き出し部２７，２７としての溝が、長手方向の両端に亘って連続して形成されている。また、リップ部２６の下面２６ｂは、下側に向かって緩やかに膨出し、かつ、図３中の左右方向となるリップ部２６の傾動方向に倣う曲面として形成されている。さらに、下面２６と交叉している左右の両側面２６ａ，２６ａのエッジ２６ｃ，２６ｃは、下面２６と鋭角で交叉している。
【００２３】
このように構成されているワイパーブレード２１は、ホルダー２の部分に、図示しないモータを駆動源として揺動往復運動をするアームの先端が取り付けられる。そして、ワイパーブレード１は、ウインドウガラスにリップ部２６を当接させた状態で、該アームの動作で該ウインドウガラスに沿って移動され、その移動時に、リップ部１１がウインドウガラス上の砂、土、埃等を払拭する。
【００２４】
図４の(ａ)〜(ｇ)は、そのラバーリボン２２の払拭動作を示す図である。図４中、符号１５はウインドウガラス、１６はウインドウガラス１５上に付着された砂、土、埃等１６である。また、矢印はワイパーブレード２１が動く方向を示している。なお、ここでの砂、土、埃等１６は、雨水、雪等の中に混入しているのが一般的であるが、ここでの説明では簡略化し、砂、土、埃等１６だけを示している。
【００２５】
次に、図４を用いてラバーリボン６の払拭動作を説明する。ラバーリボン２２がワイパーブレード２１によって図４中の左方向に動かされると、ネック部２５の撓み変形を伴って、リップ部２６が左方向(払拭方向)に傾倒する。そのリップ婦２６は、傾倒状態のまま、ウインドウガラス１５上をその曲面に沿って摺動し、該ウインドウガラス１５上の砂、土、埃等１６を払拭する［(ａ)〜(ｄ)参照］。この払拭では、リップ部２６のエッジ２６ｃがウインドウガラス１５に対して臨む角度、すなわち払拭入射角度θが直角（９０度）よりも大きくなるように設定してあり、このエッジ２６ｃの傾きによりウインドウガラス１５上の砂、土、埃等１６を上方に向かって掻き上げる［(ａ)参照］。また、ここで掻き上げられた砂、土、埃等１６は、リップ部２６の傾倒により、ウインドウガラス１５の一部に覆い被さる状態となっている吐き出し部２７内に取り込まれ［(ｂ)参照］、この取り込まれた砂、土、埃等１６は、吐き出し部２７内からさらに払拭方向前方側に吐き出される［(ｃ)参照］。この動作を繰り返しながら、リップ部２６は払拭方向端に向かって移動される。
【００２６】
摺動端に到達して速度が落ちると、同図（ｄ）に示すように、ネック部２５の弾性復帰力によってリップ部２６の傾きが戻される。また、終端に到達して一旦停止すると、リップ部２６が真っ直ぐ中立位置に立ち上がる［(ｅ)参照］。続いて、ワイパーブレード１が図中の右方向に動くと、ネック部２５の弾性撓みによる反転変形を伴ってリップ部２６が右方向へ瞬時に傾倒切り換えされ、その切換時に、吐き出し部２７に溜め込まれていた砂、土、埃等１６を反転前の摺動方向前方に向かって弾き飛ばす［(ｆ)参照］。その後、切り換え後の傾倒状態を保って前と同じウインドウガラス１５上を払拭しながら終端まで移動し、終端に到達したら再び(ａ)から同じ動作が繰り返される。
【００２７】
従って、このように構成されたワイパーブレード２１では、上述のように作用することにより、次のような効果を奏する。
（i）ラバーリボン２２がウインドウガラス１５上を摺動すると、ウインドウガラス１５上の砂、土、埃等１６がリップ部２６で掻き上げられ、これが吐き出し部２７によって払拭方向先端側に順次吐き出されるから、ウインドウガラス１５とリップ部２６との間に砂、土、埃等１６が溜まったままになり、これをリップ部２６のエッジが乗り越えて拭き残しを作り、払拭が悪くなるという状態を防止することができる。これにより、払拭性が向上し、良好な視界が得られる。また、リップ部２６とウインドウガラス１５との間に砂、土、埃等１６を挟み込むこともなくなるから、ウインドウガラス１５にキズが付くのを防止することができる。
【００２８】
（ii）また、リップ部２６のエッジ２６ｃの角度を、払拭時にウインドウガラス１５に対して直角以上となるようにして設けているので、払拭された砂、土、埃等１６は、そのエッジ２６ｃが作る払拭入射角度θにより、自然と、吐き出し部２７が設けられている上側に掻き上げガイドされるから、払拭性が向上する。
【００２９】
（iii）リップ部２６の下面２６ｂを、リップ部２６の傾動方向に倣うようにして下側に向かって緩やかに膨出している曲面として形成しているので、リップ部２６の傾倒方向が切り換わるとき、リップ部２６はその曲面に倣って回転しながら向きをスムーズに変えることができる。これにより、払拭時における異音の発生等を防ぐことができ、品質の向上に寄与する。
【００３０】
（iv）ワイパーの動きが反転するとき、リップ部２６が吐き出し部２７に溜まっている砂、土、埃等を反転前の摺動方向前方に向かって弾き飛ばすので、ワイパーの払拭端に砂、土、埃等１６が溜まる量を少なくすることができ、さらに良好な視界が得られる。
【００３１】
なお、本発明は、本発明の精神を逸脱しない限り種々の改変をなすことができ、そして、本発明が該改変それたものにも及ぶことは当然である。
【図面の簡単な説明】
【００３２】
【図１】本発明を適用したワイパーブレードの外観斜視図である。
【図２】図１のワイパーブレードにおけるラバーリボンの外観斜視図である。
【図３】図１のラバーリボンにおける拡大断面図である。
【図４】図１のラバーリボンにおける払拭動作を示す動作図である。
【図５】従来のワイパーブレードの外観斜視図である。
【図６】図５のワイパーブレードにおけるラバーリボンの外観斜視図である。
【図７】図５のラバーリボンにおける拡大断面図である。
【図８】図５のラバーリボンにおける払拭動作を示す動作図である。
【符号の説明】
【００３３】
２１    ワイパーブレード
２２    ラバーリボン
２４    板状頂部
２５    ネック部
２６    リップ部
２６ｂ  下面
２６ｃ  エッジ
２７     吐き出し部
【図１】
2006151164.tif 000003
【図２】
2006151164.tif 000004
【図３】
2006151164.tif 000005
【図４】
2006151164.tif 000006
【図５】
2006151164.tif 000007
【図６】
2006151164.tif 000008
【図７】
2006151164.tif 000009
【図８】
2006151164.tif 000010